(57)【特許請求の範囲】
【請求項１】
インストルメントパネルに取付けられる固定ルーバーを有するリテーナ本体と同リテーナ本体の車室側の開口部に嵌込み状に、かつ回動可能に取付けられるカップホルダー部材とからなり、このカップホルダー部材はリテーナ本体の嵌込み位置と開口部の下部側に回動して水平状に位置する可動ルーバーを備えたホルダー本体と、このホルダー本体の背面には折畳み可能なカップホルダーとからなり、該カップホルダーには該カップホルダーが展張自立する際弾性復元するばね部材が設けられており、該ホルダー本体が水平状に位置した時、前記カップホルダーは展張自立してカップを保持可能に構成し、かつ前記ホルダー本体が前記リテーナ本体に嵌め込まれた位置にあって係合レバーと係止爪との掛合係止関係でその位置を保持する際に、前記カップホルダーに設けたばね部材が弾性変形されている構成としたドリンクホルダー付レジスタ。
【請求項２】
インストルメントパネルに取付けられる固定ルーバーを有するリテーナ本体と同リテーナ本体の車室側の開口部に嵌込み状に、かつ回動可能に取付けられるカップホルダー部材とからなり、このカップホルダー部材はリテーナ本体の嵌込み位置と開口部の下部側に回動して水平状に位置する可動ルーバーを備えたホルダー本体と、このホルダー本体の背面には折畳み可能なカップホルダーとからなり、前記カップホルダーはカップの保持孔を有し、二つ重ね状に折畳み可能に設けられ、前記ホルダー本体が水平状に位置した時、該カップホルダーは略くの字形状に展張して自立保持する構成としたドリンクホルダー付レジスタ。
【請求項３】
インストルメントパネルに取付けられる固定ルーバーを有するリテーナ本体と同リテーナ本体の車室側の開口部に嵌込み状に、かつ回動可能に取付けられるカップホルダー部材とからなり、このカップホルダー部材はリテーナ本体の嵌込み位置と開口部の下部側に回動して水平状に位置する可動ルーバーを備えたホルダー本体と、このホルダー本体の背面には折畳み可能なカップホルダーとからなり、前記カップホルダーは水平ホルダー部と垂直ホルダー部とがヒンジ部を介して連結されるとともに、両ホルダー部は二つ折り可能に設けられ、かつ水平ホルダー部にはカップの保持孔が形成されて該カップホルダーは略Ｗ形状に折畳み可能に設けられ、前記ホルダー本体が水平状に位置した時、該カップホルダーは前記リテーナ本体の開口部上部とホルダー本体前部との間で略横Ｌ字形状に展張して自立保持する構成としたドリンクホルダー付レジスタ。
【発明の詳細な説明】
【０００１】
【産業上の利用分野】
この発明は、インストルメントパネルに附設される空調用のレジスターに係り、詳しくはドリンクホルダー付レジスタに関する。
【０００２】
【従来の技術】
従来、この種のドリンクホルダー付レジスタとしては実開昭６３−２０１８３６  号、実開平０４−６９３３５号、実開昭６３−２０１８３７  号公報のものがあり、この実開昭６３−２０１８３６  号公報に開示された技術内容は図９に示すようにインストルメントパネル１の所定の位置に設けられた取付部２に嵌込み状に取付けられたレジスタ３のレジスタグリルには所定の間隔で吹出し口４が形成され、この取付部２にはレジスタグリルの前面に嵌込み可能にホルダープレート５がヒンジピン等を介して前面側に回動可能に取付けられ、同ホルダープレート５には吹出し口４に整合し、かつカップ７を差込み状に保持するホルダー孔６が貫設され、使用時にはホルダープレート５をヒンジピンを介して前面側へ回動してカップ７をホルダー孔６の挿入保持し、不使用時にはレジスタグリルの前面に嵌込むことでホルダー孔６は吹出し口４に整合されて、空調がなされる。
【０００３】
また、実開平０４−６９３３５号公報に開示された技術内容は図１０に示すように、インストルメントパネルの所定の位置に取付けられるレジスタ１１の下部に引出し部１２を形成して同引出し部１２にホルダープレート１３を収納・引出し可能に設けるとともに、同ホルダープレート１３にはカップ７を嵌込み支持するホルダー孔１４が貫設され、このホルダープレート１３の下面側にはホルダー孔１４の下方へ臨んでカップ７の底部を支持する支持部材１５が設けられて同支持部材１５はホルダープレート１３と一体状に引出し部１２に収納・引出し可能に設けられている。
【０００４】
また、実開昭６３−２０１８３７  号公報に開示された技術内容は図１１に示すように、このレジスタ１６のリテーナ１７には内側リテーナ１８がスライド可能に嵌合されて同内側リテーナ１８の前面にはレジスタグリル１８ａが取付けられ、この内側リテーナ１８の上壁側にはカップを嵌込み可能に略方形状のホルダー孔１８ｂが開設され、同ホルダー孔１８ｂには開閉可能に蓋体１９が取付けられて、同内側リテーナ１８を引出すと蓋体１９は跳ね上げられてカップ７を挿入してホールドすることができ、格納していくと蓋体１９は閉じられるように設けられている。
【０００５】
【発明が解決しようとする課題】
しかしながら、この実開昭６３−２０１８３６  号公報においてはホルダー孔６にカップ７に挿入すると、きつく嵌り込む状態となって取出しが困難となる問題があり、また、実開平０４−６９３３５号、実開昭６３−２０１８３７  号公報のものにおいてはインストルメントパネル１に対しスライドして格納・引出しする構成であることから、構造が複雑となり、かつ大型化する問題点があった。
本発明は、上記従来の問題点を解決するためになされたもので、極めて簡単な構成で、かつ取付部が大型化することのないドリンクホルダー付レジスタを提供することを目的とするものである。
【０００６】
【課題を解決するための手段】
本発明は、上記技術課題を解決するため、インストルメントパネルに取付けられる固定ルーバーを有するリテーナ本体と同リテーナ本体の車室側の開口部に嵌込み状に、かつ回動可能に取付けられるカップホルダー部材とからなり、このカップホルダー部材はリテーナ本体の嵌込み位置と開口部の下部側に回動して水平状に位置する可動ルーバーを備えたホルダー本体と、このホルダー本体の背面には折畳み可能なカップホルダーとからなり、該カップホルダーには該カップホルダーが展張自立する際弾性復元するばね部材が設けられており、該ホルダー本体が水平状に位置した時、前記カップホルダーは展張自立してカップを保持可能に構成し、かつ前記ホルダー本体が前記リテーナ本体に嵌め込まれた位置にあって係合レバーと係止爪との掛合係止関係でその位置を保持する際に、前記カップホルダーに設けたばね部材が弾性変形されている構成としたドリンクホルダー付レジスタであり、
また、前記カップホルダーはカップの保持孔を有し、二つ重ね状に折畳み可能に設けられ、前記ホルダー本体が水平状に位置した時、該カップホルダーは略くの字形状に展張して自立保持する構成としたことであり、
さらに、前記カップホルダーは水平ホルダー部と垂直ホルダー部とがヒンジ部を介して連結されるとともに、両ホルダー部は二つ折り可能に設けられ、かつ水平ホルダー部にはカップの保持孔が形成されて該カップホルダーは略Ｗ形状に折畳み可能に設けられ、前記ホルダー本体が水平状に位置した時、該カップホルダーは前記リテーナ本体の開口部上部とホルダー本体前部との間で略横Ｌ字形状に展張して自立保持する構成としたことである。
【０００７】
【作用】
上記構成としたものであるから、カップホルダー部材のカップホルダーはリテーナ本体内で折畳み状に格納され、ホルダー本体を水平位置に回動保持することでカップホルダーは展張して自立保持してカップを保持することができる。
【０００８】
【実施例】
次に、本発明の実施例を図面にしたがって説明すると、図１ないし図５は第１実施例を示すもので、図１は車両のインストルメントパネル１の斜視図、図２は図１中央部のドリンクホルダー付レジスタ２０の斜視図、図３は図２のＡ−Ａ線断面図、図４はカップホルダー部材２５を回動した状態の断面図を示すもので、このインストルメントパネル１の中央部および左右側に取付けられるドレンクホルダー付レジスタ２０はリテーナ本体２１とカップホルダー部材２５とにより構成されている。
【０００９】
このリテーナ本体２１は合成樹脂材より形成されるもので、インストルメントパネル１に開設された取付部２に嵌込み可能に略方形筒状に形成され、その前部（車室側）の四周にはフランジ部２２が形成されている。また、このリテーナ本体２１の左右枠２１ａ間の前部寄りの所定の位置には所定の間隔で複数枚の固定ルーバー２３が取付けられ、この固定ルーバー２３の前部の上枠２１ｂの中央部には係止爪２４が突設されている。このように形成されたリテーナ本体２１の前部にはカップホルダー部材２５が取付けられている。
【００１０】
このカップホルダー部材２５はホルダー本体２６とカップホルダー３１とより構成されている。このホルダー本体２６は合成樹脂材より形成されるもので、リテーナ本体２１の前部に嵌込み可能に略方形状の枠体に形成されるとともに、この左右の縦枠２６ａ，２６ｂ間にはリテーナ本体２１に取付けた固定ルーバー２３とほぼ対応して複数枚の可動ルーバー２７が取付けられて、図示はしないがリンク部材を介して一連に上下方向に回動可能に設けられて風向きを変更可能に設けられている。なお、この可動ルーバー２７は上下枠２６ｃ，２６ｄ間に取付けて風向きを左右方向へ変更するものであってもよい。また、下枠２６ｄの前部側となる縁部には図４に示すようにホルダー本体２６を回動した時にリテーナ本体２１に当接して本体２６を水平に保持する凸部２８が形成されている。また、上枠２６ｃの中央部にはリテーナ本体２１に形成した係止爪２４に掛合係止する係合レバー２９が取付けられている。このように設けられたホルダー本体２６にはその下枠２６ｄの左右に設けられたヒンジピン３０を介してリテーナ本体２１に回動可能に取付けられて、水平状態でカップ７を載置可能に形成されている。このように取付けられたホルダー本体２６の内側には折畳み式のカップホルダー３１が取付けられている。
【００１１】
この折畳み式カップホルダー３１は例えば合成樹脂材により図５（ａ），（ｂ）  に示すように長方形状の板状に形成されるとともに、その中央部にはカップ７を保持可能とする幅ｈの略長方形状の保持孔３２が形成されて、左右の側縁片３３，３４と上下の縁片３５，３６が形成され、この上下縁片３５，３６の内縁の中央部には切欠部３５ａ，３６ａが形成されている。また、この左右の側縁片３３，３４の上下にほぼ２分する所定位置には薄肉状のヒンジ部３７ａ，３７ｂが形成されて上部側縁片３３ａ，３４ａと下部側縁片３３ｂ，３４ｂに区画されるとともに、このヒンジ部３７ａ，３７ｂには図５（ａ）  に示すように自然状態で所定の角度αに形状保持するため、例えば薄ばね板あるいは薄ステンレス板等からなる角度αに折曲成形されたばね部材３８が上部側縁片３３ａ，３４ａと下部側縁片３３ｂ，３４ｂに跨がってインサート成形されて、上縁片３５と左右の上部側縁片３３ａ，３４ａとにより上部ホルダー部３１ａが、また、下縁片３６と左右の下部側縁片３３ｂ，３４ｂとにより下部ホルダー部３１ｂがそれぞれ形成され、この上下部ホルダー部３１ａ，３１ｂは自然状態で略くの字形状に形成されるとともに、ヒンジ部３７ａ，３７ｂより折畳み可能に形成されている。
【００１２】
また、下縁片３６の下部側は薄肉状のヒンジ部３９を介して取付片４０に接続されるとともに、このヒンジ部３９の両側には上部ホルダー部３１ａと下部ホルダー３１ｂとを自然状態の略くの字形状で起立（自立）保持するため、例えば薄ばね板あるいは薄ステンレス板等からなる所定の角度βに折曲形成されたばね部材４１が下縁片３６と取付片４０に跨がってインサート成形されて、同カップホルダー３１は自然状態で図５（ａ）  に示す形状に形成されている。このように形成されたカップホルダー３１は取付片４０を介してホルダー本体２６の上枠２６ｃの下面側に取付けられている。
【００１３】
上記のように形成されたレジスタ２０はインストルメントパネル１の取付部２に取付けた状態で図４に示すように略くの字形状のカップホルダー３１はヒンジ部３７ａ，３７ｂより上下部ホルダー部３１ａ，３１ｂは上縁片３５が係止爪２４に当接された状態で折畳み状に弾性変形されて係合レバー２９が係止爪２４に係合されてホルダー本体２６はリテーナ本体２１の前部に嵌合状に格納されている。この状態でホルダー本体２６に設けた可動ルーバー２７を操作することで冷暖風の風向を調整することができる。
【００１４】
そして、カップホルダー３１を使用する場合には、例えば可動ルーバー２７を水平状、あるいはその通風間隔を閉じ方向に操作してほぼ垂直状に整列傾倒するかした後、係合レバー２９を上方へ上げることで係止爪２４との係合が解かれ、これによりばね部材３８，４１の復元力によりホルダー本体２６はヒンジピン３０を中心として前方へ押出し上に回動され、同ホルダー本体２６をさらに回動してその下部に突設した凸部２８がリテーナ本体２１のフランジ部２２に当接された状態で、ホルダー本体２６は水平状に保持されるとともに、カップホルダー３１はばね部材３８，４１が弾性復元されて略くの字形状に展張されて起立（自立）保持される。この状態でカップ７を略くの字形状の左右側縁片３３，３４間の保持孔３２部分に挿入して可動ルーバー２７上に載置することで、同カップ７の左右は略くの字形状の左右側縁片３３，３４に保持されるとともに、前方へは上下縁片３５，３６により安定保持される。
【００１５】
そして、不使用時にはカップホルダー３１を折畳み状に弾性変形して上縁片３５の切欠部３５ａを係合レバー２９に掛合して同ホルダー本体２６をヒンジピン３０を中心として収納方向へ回動していくと上縁片３５は係止爪２４に当接されるとともに、さらに、押すことで係合レバー２９は係止爪２４に係合されてホルダー本体２６はリテーナ本体２１に嵌合状に格納ロックされる。
【００１６】
このように本例ドリンクホルダー付レジスタ２０はインストルメントパネル１に取付けられるリテーナ本体２１と同リテーナ本体２１の車室側の開口部に嵌込み状に、かつ回動可能に取付けられるカップホルダー部材２５とからなり、このカップホルダー部材２５はリテーナ本体２１の嵌込み位置と開口部の下部側に回動して水平状に位置する可動ルーバー２７を備えたホルダー本体２６と、このホルダー本体２６の背面には中央部に保持孔３２を有して二つ重ね状に折畳み可能にカップホルダー３１を取付けるとともに、ホルダー本体２６が水平状に位置した時、このカップホルダー３１は略くの字形状に起立する構成としてものである。したがって、カップホルダー部材２５の未使用時にはリテーナ本体２１の嵌合状に格納されたホルダー本体２６の背面にカップホルダー３１は折畳まれて格納され、この状態で可動ルーバー２７を操作することで通常のレジスタとして使用することができる。また、ドリンクホルダーとして使用する場合は係合レバー２９を操作して係止爪２４との係合を解くことで、ホルダー本体２６を水平位置へ回動することができ、この水平位置にホルダー本体２６を保持した状態でカップホルダー３１はホルダー本体２６の前部側に略くの字形状に起立保持される。この状態でカップ７を略くの字形状の左右側縁片３３，３４間の保持孔３２部分に挿入して可動ルーバー２７上に載置することで、同カップ７の左右は略くの字形状の左右側縁片３３，３４に保持されるとともに、前部へは上下縁片３５，３６により安定保持され、取出しも容易に行うことができる。また、同カップ７はリテーナ本体２１側からの冷暖風の前部に載置保持されるので、冷暖風により保温されることとなる。
【００１７】
とくに、カップホルダー部材２５はリテーナ本体２１の前部に嵌合状に格納する構成であるから、従来のように引出し部等格別に設ける必要がないので他部材の取付け配設に制約を与えることなく通常の取付部に附設することができ、また、カップホルダー部材２５はホルダー本体２６と折畳み可能なカップホルダー３１との２部材という簡単な構成にも拘らずカップ７を安定保持することができ取出しも容易に行うことができ、また、カップホルダー３１はホルダー本体２６を水平位置に位置保持することで、その弾性復元力により自立保持するので、格別の引き起こし等の操作を必要としない便利性がある。
【００１８】
次に、本発明の第２実施例を図６ないし図８にしたがって説明すると、この第２実施例のドリンクホルダー付レジスタ４５におけるレテーナ本体は上記第１実施例とほぼ同様に形成されているので同符号を付してその説明は省略する。また、このリテーナ本体２１の前部にはカップホルダー部材４６が上記カップホルダー部材２６と同様に嵌合状に格納ロック可能に、かつ前部へ回動可能に取付けられている。
【００１９】
このカップホルダー部材４６はホルダー本体４７とカップホルダー５１とより構成されている。このホルダー本体４７は合成樹脂材より形成されるもので、リテーナ本体２１の前部に嵌込み可能に略方形状の枠体に形成されるとともに、この左右の縦枠４７ａ，４７ｂ間にはリテーナ本体２１に取付けた固定ルーバー２４とほぼ対応して複数枚の可動ルーバー４８が取付けられて、図示はしないがリンク部材を介して一連に上下方向に回動可能に設けられて風向きを変更可能に設けられている。下枠４７ｄの前部側となる縁部には第１実施例と同様にホルダー本体４７を回動した時にリテーナ本体２１に当接してホルダー本体４７を水平に保持する凸部４９が形成されている。また、上枠４７ｃは図示のように板状に形成され、その中央部にはリテーナ本体２１に形成した係止爪２４に掛合係止する係合レバー２９が取付けられている。このように設けられたホルダー本体４７にはその下枠４７ｄの左右に設けられたヒンジピン５０を介してリテーナ本体２１に回動可能に取付けられて、水平状態でカップ７を載置可能に形成されている。このように取付けられたホルダー本体４７の内側には折畳み式のカップホルダー５１が取付けられている。
【００２０】
この折畳み式カップホルダー５１は例えば合成樹脂材よりなるもので、このカップホルダー５１は図６および図７に示すようにホルダー本体４７を回動して水平状に保持した状態でリテーナ本体２１の開口部上部に枢着されて水平状に張出す水平ホルダー部５２とこの水平ホルダー部５２の端部より下方へ垂直状に垂下されてホルダー本体４７の上枠４７ｃ側に枢着される垂直ホルダー部５３とからなるもので、図８はこのカップホルダー５１を展開して示すもので、この水平ホルダー部５２と垂直ホルダー部５３は薄肉状のヒンジ部５４を介して接続されている。また水平ホルダー部５２の取付け基部の左右にはリテーナ本体２１の左右枠２１ａの開口部上部の所定位置に枢着するヒンジピン５５ａが突設され、また、垂直ホルダー部５３の取付け基部の左右にはホルダー本体４７の上枠４７ｃ側の左右の縦枠４７ａ，４７ｂに枢着するヒンジピン５５ｂが突設されている。また、この水平ホルダー部５２の所定の位置にはカップ７を挿入する所定の径の保持孔５６が貫設され、この保持孔５６には長手方向の中心にそって取付け基部にむかって係合レバー２９の逃し凹部５７ａが形成され、またその反対側には垂直ホルダー部に亘って逃し凹部５７ｂが形成されている。また、この水平ホルダー部５２の取付け基部とヒンジ部５４との間の所定の対応する位置には薄肉状のヒンジ部５８ａ，５８ｂが形成されて、同水平ホルダー部５２は折り畳み可能に設けられている。
【００２１】
また、垂直ホルダー部５３のヒンジ部５４とホルダー本体４７への取付部との間の所定の位置には薄肉状のヒンジ部５９が形成されて、同垂直ホルダー部５３は折畳み可能に設けられ、同垂直ホルダー部５３には所定の間隔で水平方向に複数のスリット状の長孔６０が貫設され、この長孔６０は折畳んだ場合に整合されるとともに、可動ルーバー４８の通風間隔と整合するように設けられている。このように設けられたカップホルダー５１のヒンジ部５４の左右には両ホルダー部５２，５３をほぼ直角状に展張保持するため、例えば薄ばね板あるいは薄ステンレス板からなる角度例えばほぼ９０度ないし９５度程度に折曲形成されたばね部材６１が水平ホルダー部５２と垂直ホルダー部５３に跨がってインサート成形されている。このように形成されたカップホルダー５２はホルダー本体４７を格納側へ回動しながらヒンジ部５４を人手により２つ折り状に助成すると同カップホルダー５１は略Ｗ形状に折畳まれ、係合レバー２９を逃し凹部５７ａ，５７ｂを介して係止爪２４に掛合することでホルダー本体４７はリテーナ本体２１に開口部に格納ロックされるとともに、カップホルダー５１は略Ｗ形状に折畳まれている。
【００２２】
このように設けられたカップホルダー部材４６はリテーナ本体２１の前部開口部に格納された不使用時の状態でそのカップホルダー５１は開口部上部側に略Ｗ形状に折畳まれて、その保持孔５６、長孔６０はほぼ折畳み整合されているので、リテーナ本体２１側からの冷暖風は通過することができ可動ルーバー４８を調整することで車室内への風向を調整することができる。
【００２３】
そして、カップホルダー部材４６を使用する場合には、係合レバー２９と係止爪２４のロックを解いてホルダー本体４７をヒンジピン５０を中心として前部へ回動していくと、カップホルダー５１の水平ホルダー部５２の取付け基部のヒンジピン５５ａはリテーナ本体２１の開口側上部に枢着され、また、垂直ホルダー部５３の取付け端部のヒンジピン５５ｂはホルダー本体４７の上枠４７ｃ側に枢着されていることから、このホルダー本体４７側のヒンジピン５５ｂが回動変位されていくことで、垂直ホルダー部５３と水平ホルダー部５２とのヒンジ部５４にインサート成形されたばね部材６１は弾性復元され、この復元力により折畳み状の水平ホルダー部５２は水平状に、また、折畳み状の垂直ホルダー部５３は水平状に展張され、カップホルダー５１は略横Ｌ字形状のほぼ直角状に展張されて自立保持されている。この状態で水平ホルダー部５２に貫設した保持孔５６よりカップ７を挿入してホルダー本体４７に載置することで安定保持することができる。したがって、この第２実施例においても第１実施例と同等の作用効果を奏するものである。
【００２４】
なお、上記実施例におけるカップホルダー３１、５１を合成樹脂材により形成してヒンジ部３７ａ，３７ｂ，３９およびヒンジ部５４にばね部材３８，４１，６１をインサート成形して例示したが、これに限定するものではなく、例えばばね鋼板、ステンレス鋼板等をピンジョイントし、捩りばねを介して折畳み可能に、かつカップを保持可能に自立保持する構成でもよく、また、線材と鋼板の組合わせでピンジョイントし、捩りばねを介して折畳み可能に、かつカップを保持可能に自立保持する構成であってもよい。なお、上記実施例においてはカップホルダー３１，５１を略くの字形状、略横Ｌ字形状に展張、自立保持するように例示したが、要はホルダー本体２６，４７の背面側に折畳まれてリテーナ本体２１の開口部側に格納され、ホルダー本体２６，４７を水平状に回動保持して解きカップ７を保持可能な形状であればよい。
【００２５】
【発明の効果】
本発明は、上記のように構成したことにより、カップホルダー部材はリテーナ本体の前部開口部にホルダー本体の背面側にカップホルダーを折畳み状にして嵌合状に格納する構成であるから、従来のように引出し部等格別に設ける必要がないので他部材の取付け配設に制約を与えることなく通常の取付部に附設することができ、また、カップホルダー部材はホルダー本体と折畳み可能なカップホルダーとの２部材という簡単な構成にも拘らずカップを安定保持することができ取出しも容易に行うことができ、また、カップホルダーはホルダー本体を水平位置に位置保持することで、その弾性復元力により自立保持するので、格別の引き起こし等の操作を必要としない便利性がある。
【図面の簡単な説明】
【図１】車両のインストルメントパネルの斜視図である。
【図２】図１の中央部のドリンクホルダー付レジスタの斜視図である。
【図３】第１実施例を示す図２のＡ−Ａ線断面図である。
【図４】同じくカップホルダー部材を回動した状態を示す断面図である。
【図５】（ａ）  第１実施例のカップホルダーの自然状態の側面図、（ｂ）  その正面図である。
【図６】第２実施例のドリンクホルダー付レジスタの断面図である。
【図７】同じくカップホルダー部材を回動した状態の斜視図である。
【図８】カップホルダーの展開平面図である。
【図９】従来のカップホルダー付リジスタの斜視図である。
【図１０】従来の他のカップホルダー付リジスタの斜視図である。
【図１１】同じく従来の他のカップホルダー付リジスタの斜視図である。
【符号の説明】
２０，４５  ドリンクホルダー付レジスタ
２１  リテーナ本体
２３  固定ルーバー
２５，４６  カップホルダー部材
２７，４８  可動ルーバー
３１，５１  カップホルダー
３２，５６  保持孔
５２  水平ホルダー部
５３  垂直ホルダー部
５４  ヒンジ部
【図１】
0003555166.tif 000002
【図２】
0003555166.tif 000003
【図３】
0003555166.tif 000004
【図４】
0003555166.tif 000005
【図５】
0003555166.tif 000006
【図６】
0003555166.tif 000007
【図７】
0003555166.tif 000008
【図８】
0003555166.tif 000009
【図９】
0003555166.tif 000010
【図１０】
0003555166.tif 000011
【図１１】
0003555166.tif 000012